(57)【特許請求の範囲】
【請求項１】
自動的に導出される構成により周辺装置を中央処理ユニットに相互接続する第１スロットを複数含む第１のバスと、ユーザ選択構成により周辺装置を中央処理ユニットに相互接続する第２スロットを複数含む第２のバスと、制御信号が供給されることにより前記第２スロットを一時的に不能にする前記第２スロット毎のリセット・ラインと、前記リセット・ラインの各々に個別に前記制御信号を供給する制御論理と、データ処理システムへの電力の供給に応答して前記リセット・ラインの全てに前記制御信号を供給するためのパワー・リセット信号を生成するパワー管理論理と、前記制御論理をネットワークに接続するネットワーク・アダプタと、を有するデータ処理システムにおける周辺装置コンフリクトを除去する方法であって、
前記複数の第２スロットのうち特定の第２スロットを識別するステップと、
前記データ処理システムの正常動作の間に、前記ネットワークからの遠隔信号に応答して、前記特定の第２スロットに関連づけられる前記リセット・ラインに選択的に前記ネットワーク・アダプタ内の前記制御論理から前記制御信号を供給し、前記特定の第２スロットを選択的に不能にするステップと
を含む、方法。
【請求項２】
あらゆる前記第２スロットに関連づけられる前記リセット・ラインに、同時に前記制御信号を供給するステップを含み、前記第２のバスに関連づけられるあらゆる前記第２スロットが、前記データ処理システムの正常動作の間に不能にされる、請求項１記載の方法。
【請求項３】
前記ネットワークからの遠隔信号に応答して、前記特定の第２スロットに関連づけられる前記リセット・ラインから、前記制御信号を選択的に除去するステップを含む、請求項１記載の方法。
【請求項４】
中央処理ユニットと、
前記中央処理ユニットに接続されるメモリと、
前記中央処理ユニットに接続され、自動的に導出される構成により、周辺装置を前記中央処理ユニットに相互接続する複数の第１スロットを含む、第１のバスと、
前記中央処理ユニットに接続され、ユーザ選択構成により、周辺装置を前記中央処理ユニットに相互接続する複数の第２スロットを含む、第２のバスと、
制御信号が供給されることにより前記第２スロットを一時的に不能にする前記第２スロット毎のリセット・ラインと、
前記リセット・ラインの各々に個別に前記制御信号を供給する制御論理と、
データ処理システムへの電力の供給に応答して前記リセット・ラインの全てに前記制御信号を供給するためのパワー・リセット信号を生成するパワー管理論理と、
前記制御論理をネットワークに接続するネットワーク・アダプタと、
を含み、
前記制御論理が前記ネットワーク・アダプタを介した前記ネットワークからの遠隔信号に応答して、前記リセット・ラインに選択的に前記制御信号を供給するデータ処理システム。
【請求項５】
前記制御論理が前記リセット・ラインから前記制御信号を除去する手段を含む、請求項４記載のデータ処理システム。
【請求項６】
前記第１のバスが周辺コンポーネント相互接続（ＰＣＩ）バスを含む、請求項４記載のデータ処理システム。
【請求項７】
前記第２のバスが業界標準アーキテクチャ（ＩＳＡ）・バスを含む、請求項６記載のデータ処理システム。
【発明の詳細な説明】
【０００１】
【発明の属する技術分野】
本発明は一般に、改善されたデータ処理システムに関し、特に、多重バス・データ処理システムにおいて、周辺装置コンフリクトを除去する方法及びシステムに関する。より詳細には、本発明は、多重バス・データ処理システムにおいて、あるバスに関連づけられる拡張スロットを選択的に不能にする方法及びシステムに関する。
【０００２】
【従来の技術】
最新のデータ処理システムは、コンピュータ・システムの構成要素間のデータ転送のために、ハードウェア・ラインの１つ以上のセットを使用する。ハードウェア・ラインのセットは"バス"と呼ばれ、本来、マイクロプロセッサ、ディスクドライブ制御装置、メモリ及び入出力ポートなどのシステムの異なる部分を接続し、それらの装置が情報を転送することを可能にする共用ハイウェイである。バスは通常、異なるタイプの情報を伝搬するラインの特殊化グループからなる。あるライン・グループがデータを伝搬し、別のグループがメモリ・アドレス、並びに、ことによるとデータ項目を伝搬する。バス内の更に別のライン・グループは、制御信号を伝搬し得る。バスは通常、１度に転送され得るビット数により特徴づけられる。最も最新のデータ処理システムは、追加の周辺装置が挿入される１つ以上の拡張スロットを含み、それらの装置がバスに接続される。
【０００３】
データ処理システムの構築において、多くの異なるタイプのバス構成が知られている。例えばＩＢＭにより製造された最初のパーソナル・コンピュータは、１度に８ビットをサポートするバスを使用した。そのバスに対する続く改善は、同時に１６ビットのデータをサポートするいわゆる"ＡＴ"バスを生成した。
【０００４】
より最近では、業界標準アーキテクチャ（ＩＳＡ）・バス設計仕様が公布され、これは周辺構成要素をカードとして、標準の拡張スロットに追加することを可能にする。こうしたスロットに挿入される周辺装置または拡張カードが、パーソナル・コンピュータ・システムと動作するように構成されなければならない。すなわち、業界標準アーキテクチャ（ＩＳＡ）・バスに挿入される周辺装置が適切に機能するように、メモリ位置、特定の割込み要求（ＩＲＱ）及び様々な他の仕様が、適切に選択されなければならない。
【０００５】
最新のパーソナル・コンピュータはしばしば、いわゆる周辺コンポーネント相互接続（ＰＣＩ）ローカル・バスを使用する。この仕様はインテル社により導入され、最大１０個のＰＣＩ準拠の拡張カードがコンピュータ内に導入されることを可能にする、ローカル・バス・システムを定義する。ＰＣＩローカル・バス・システムはＰＣＩ制御装置カードの存在を要求し、これはＰＣＩ準拠のスロットの１つに導入されなければならない。ＰＣＩ制御装置は特定の実施例に応じて、データを３２ビットまたは６４ビットで同時に、システムの中央プロセッサと交換でき、知能ＰＣＩ準拠アダプタがバス・マスタリングと呼ばれる技術を用いて、中央プロセッサと同時に、タスクを実行することを可能にする。更に、"プラグ・アンド・プレイ"仕様に準拠する装置は、コンピュータがＰＣＩローカル・バスに接続される拡張スロットに挿入される周辺装置と適切に協働するように、それ自身を自動的に構成することを可能にする。
【０００６】
多くの現パーソナル・コンピュータは、ＩＳＡバス及びＰＣＩバスの両方を含む。業界においては、顧客サポート要求がエンドユーザがモデム、オーディオ・カードまたはマルチメディア装置などの周辺装置を不適切にＩＳＡスロット内に導入したときに発生する、資源コンフリクトまたは機能性の損失に原因することが判明している。ＰＣＩバスではこうしたコンフリクトは発生しない。なぜなら、自動構成が開始時におけるこうしたコンフリクトを解決するからである。
【０００７】
通常、システムはＩＳＡ及びＰＣＩ拡張スロットの両方を含み、製造業者により出荷される。なぜなら、特定の機能はＩＳＡ拡張スロットにおいてのみ使用可能であるからであるが、ＩＳＡ拡張スロットを使用しないかなり多くの顧客が存在し、結果的に、エンドユーザが周辺装置をＩＳＡ拡張スロット内に挿入することを阻止する、従って可能な資源コンフリクトを除去する能力が待望される。
【０００８】
従って、当業者であれば、ＩＳＡバスに関連づけられる拡張スロットを選択的に不能にする方法及びシステムが、資源コンフリクトの結果生じる多くの顧客サポート呼出しを回避できることが理解できよう。
【０００９】
【発明が解決しようとする課題】
従って、本発明の目的は、改善されたデータ処理システムを提供することである。
【００１０】
本発明の別の目的は、多重バス・データ処理システムにおいて、周辺装置コンフリクトを除去する改善された方法及びシステムを提供することである。
【００１１】
更に本発明の別の目的は、多重バス・データ処理システムにおいて、あるバスに関連づけられる拡張スロットを選択的に不能にする改善された方法及びシステムを提供することである。
【００１２】
【課題を解決するための手段】
前記の目的が、次のように達成される。本発明の方法及びシステムは、自動的に導出される構成により、周辺装置を相互接続するための複数のスロットを有する周辺コンポーネント相互接続（ＰＣＩ）バスと、ユーザ選択構成により、周辺装置を相互接続するための複数のスロットを有する業界標準アーキテクチャ（ＩＳＡ）・バスとを含む、多重バス・データ処理システムにおいて、周辺装置コンフリクトを除去するために使用され得る。ＩＳＡバス内に含まれる各スロットが、データ処理システムへの電力の供給に応答して、関連スロットを一時的に不能にするリセット・ラインを含み、電力遷移問題を回避する。ユーザ選択構成によりもたらされる既存のまたは潜在的な周辺装置コンフリクトに応答して、ＩＳＡバス内に含まれる１つ以上のスロットに対して、制御信号が選択的にリセット・ラインに供給され、データ処理システムの正常動作の間に、一時的にそれらのスロットを不能にする。
【００１３】
【発明の実施の形態】
図１を参照すると、本発明の方法及びシステムを実現するために使用され得るネットワークのハイレベル・ブロック図が示される。図示のように、ネットワーク・マスタ・システム１００がＬＡＮコネクタ・バス１０６により、ハブ１０２に接続されるように示される。複数のクライアント・システム１０４Ａ、１０４Ｂ及び１０４Ｃもまた、それぞれのＬＡＮコネクタ・バス１０６を介して、ハブ１０２に接続される。本発明の図示の実施例では、図１に示されるネットワークは、イーサネット仕様に準拠し、こうしたアプリケーションにおいて一般的なハブを使用する。当業者であれば、例えばトークン・リングなどの他の形式のネットワークも、本発明を実現するために使用され得ることが理解できよう。
【００１４】
図２を参照すると、図１のネットワーク内で使用され得る多重バス・クライアント・システムのハイレベル・ブロック図が示される。図示のように、図２の多重バス・クライアント・システムは中央処理ユニット（ＣＰＵ）２００を含み、ＣＰＵはアドレス、制御及びデータ・バス２０２により、メモリ制御装置及びＰＣＩバス・ブリッジ・チップ２０８に接続される。システム・メモリ２１２もまた、メモリ制御装置及びＰＣＩバス・ブリッジ２０８に接続される。
【００１５】
業界標準の周辺コンポーネント相互接続拡張バス２４０が、メモリ制御装置及びＰＣＩバス・ブリッジ２０８、ＩＤＥ装置制御装置２１４、ＰＣＩコネクタ・スロット２１８、及びＰＣＩバス−ＩＳＡバス・ブリッジ・チップ２１６を接続するように示される。こうしたアプリケーションにおいて一般的なように、ＰＣＩバス−ＩＳＡバス・ブリッジ２１６は更に、パワー管理論理を含む。
【００１６】
図２に示される多重バス・データ処理システムは、通常、入力装置と、固定ディスク・ドライブ２２２及びフロッピー・ディスク・ドライブ２２４などの、データ記憶装置を含む。図示のように、固定ディスク・ドライブ２２２は好適にはＩＤＥ制御装置２１４に接続され、フロッピー・ディスク・ドライブ２２４は、好適には入出力制御装置２３４に接続される。入出力制御装置２３４はＩＳＡバス２４２に接続され、好適にはフラッシュ・メモリ２３２のためのインタフェースを含む。フラッシュ・メモリは、電力の供給時に、図示の多重バス・データ処理システムにより実行されるマイクロコードを含む。
【００１７】
当業者であれば理解できるように、フラッシュ・メモリ２３２は好適には、電気的に消去可能なプログラマブル読出し専用メモリ（ＥＥＰＲＯＭ）・モジュールであり、入出力装置とオペレーティング・システム間をインタフェースするために使用される、ＢＩＯＳ（基本入出力システム）を含む。入出力制御装置２３４は更に、システム構成データ、すなわち図２の多重バス・データ処理システムの現構成を示すデータを記憶するために使用される、ＣＭＯＳメモリなどの低電圧メモリを含む。こうした情報には、ユーザによりセットされる初期プログラム・ロード（ＩＰＬ）装置のリスト、及び特定のパワー供給方法のために使用されるシーケンス、表示タイプ、メモリ量、時間及び日付などが含まれる。更に、こうした低電圧メモリ内に記憶されるデータは、図２に示される多重バス・データ処理システムのユーザにより実行され得る、構成／セットアップ・プログラムなどの、特殊構成プログラムを含み得る。入出力制御装置２３４に関連して、通常バッテリ２３６が提供され、パワーをそれに含まれる低電圧メモリに供給し、構成データの損失を防止する。
【００１８】
複数のＩＳＡ拡張スロット２２０が、ＩＳＡバス２４２に接続されるように示される。上述のように、各ＩＳＡ拡張スロット２２０は、リセット論理２２６に接続される専用のリセット・ラインを含む。リセット・ラインが活動状態のとき、ＩＳＡ拡張スロット２２０内の任意のカードまたは周辺装置が不能になる。リセット・ラインは、ＩＳＡバス・ブリッジ・チップ２１６のパワー管理論理内で生成され、電力の初期供給時にのみ活動状態になり、電力が正常な動作状態を達成するとき、解除される。このように、ＩＳＡ拡張スロット２２０内の周辺装置の活動は、電力遷移の結果として発生し得るあらゆる問題を回避するために、電力の初期供給の間に切り詰められる。図示のように、リセット制御２２６に接続されるパワー・リセット信号が電力の初期供給時に、各ＩＳＡ拡張スロット２２０を不能にするために使用される。
【００１９】
図３を参照すると、本発明の方法及びシステムの１実施例を実現するために使用される追加のネットワーク接続回路を有する、図２の多重バス・データ処理システムのハイレベル・ブロック図が示される。図示のように、ネットワーク接続回路以外の多重バス・データ処理システムの各要素は、図２から変更は無く、同一参照番号がそれらの要素を指し示すために使用される。
【００２０】
上述のように、変更されたネットワーク・アダプタ３００が、１つのＰＣＩ拡張スロット２１８を介して、多重バス・データ処理システムに接続される。変更ネットワーク・アダプタ３００内には制御論理４００が含まれ、これは物理層３０４と媒体アクセス制御装置３０８間に延びるバスに接続される。物理層３０４はコネクタ３０６を介して、図１に示されるネットワークに接続される。
【００２１】
制御論理４００は、後述のように、"ハードワイヤード"ＡＳＩＣ（特定用途向け集積回路）またはプログラム式汎用プロセッサを用いて実現され得る。制御論理４００を、物理層３０４と媒体アクセス制御装置（ＭＡＣ）３０８間のバスにおいて接続することにより、制御論理４００は物理層３０４を利用し、ネットワーク・パケットを送受信する。制御論理４００は、本発明の方法及びシステムに従い、データを物理層３０４から受け取り、制御信号を図示の多重バス・データ処理システムに提供し、本発明の方法及びシステムを実現する。
【００２２】
図示のように、制御論理４００からの制御信号は、リセット制御装置２２６に接続され、以下で詳述されるように、１つ以上のＩＳＡ拡張スロット２２０のために、リセット・ライン上に活動信号を選択的に生成するために使用される。このようにＩＳＡ拡張スロット２２０が、図１のネットワークのシステム管理者により指定されるように使用されないアプリケーションにおいて、周辺装置コンフリクトを阻止するために、１つ以上のＩＳＡ拡張スロット２２０が選択的に不能にされる。もちろん、パワー・リセット信号もまた、ＩＳＡバス・ブリッジ・チップ２１６のパワー管理論理により、上述のように生成され得る。更に、個々のリセット信号がソフトウェア・ルーチンを介して、または汎用入出力ピンを通じて生成されてもよい。
【００２３】
図４を参照すると、本発明の方法及びシステムを実現するために使用され得る、図３のネットワーク接続回路の制御論理部分のハイレベル・ブロック図が示される。図示のように、信号が制御論理４００内のインタフェース・ユニット５１４において、物理層３０４と媒体アクセス制御装置３０８とを相互接続するバスから受信される。インタフェース・ユニット５１４は好適にはキャリアである。なぜなら、ネットワークから伝送されるデータ・パケットが、図２の多重バス・データ処理システム内で受信され得るように、好適なネットワーク・プロトコルを実現する多重アクセス・インタフェースであるからである。従って、受信される信号は受信用先入れ先出し（ＦＩＦＯ）バッファ５０８に転送される。マイクロコントローラ５０２は、本発明の方法及びシステムに従い、その情報の処理を調整するために使用され、適切なネットワーク・パケットが受信されるとき、そのパケットがマイクロコントローラ５０２により処理され、ＩＳＡバスに関連づけられる拡張スロットのステータスを更新する。ＩＳＡ拡張スロットのステータスに関するデータは、レジスタ５１０内に記憶される。システム管理（ＳＭ）バス・インタフェース５０６も、制御論理４００から多重バス・データ処理システムに提供され、ＩＳＡ拡張スロット２２０のステータス及びレジスタ５１０の内容が、多重バス・データ処理システムによりアクセスされ得る。
【００２４】
図４に示されるように、マイクロコントローラ５０２の１つの出力がリセット・ドライブ５２０に接続される。リセット・ドライブ５２０は、一般に参照番号４０１で示される複数の論理信号を提供し、これらはリセット制御２２６に接続され、上述のように本発明の方法及びシステムに従い、データ処理システムの正常動作の間に、１つ以上のＩＳＡ拡張スロット２２０を選択的に不能にするために使用される。
【００２５】
従って、当業者であれば理解できるように、多重バス・データ処理システムが提供され、システム管理者がＩＳＡ拡張スロット２２０が使用されないと判決するネットワーク・システムにおいて、周辺装置コンフリクトを回避するために、本発明の方法及びシステムは、多重バス・データ処理システム内の１つ以上のＩＳＡ拡張スロットを選択的に不能にする制御信号を生成する。この技術は、装置コンフリクトを効果的に阻止する。なぜなら、ＰＣＩバス２４０に挿入される全ての周辺装置が自動的に構成され、コンフリクトが発生しないからである。
【００２６】
図５を参照すると、本発明の方法及びシステムに従い、ＩＳＡ拡張スロット２２０を遠隔的に制御するために使用され得る、データ・パケット６００の概略図が示される。図示のように、パケット６００は好適にはネットワーク・ヘッダを含み、これはネットワーク通信の分野において周知のように、ＭＡＣヘッダ、ＩＰヘッダ及びＵＤＰヘッダを含み、これらはパケットの正しい転送を保証するために、アドレス、識別子及び他の情報を提供する。データ・パケットはまた好適には、転送される情報内容を含む。図５に示されるように、データ・パケットは好適には、データ形式及びデータの複数ビットを含む。図５に示される形式では、各ＩＳＡ拡張スロット２２０の許可／不能ステータスを含む、複数のデータ信号が提供される。この情報は制御論理４００により処理されるとき、図４に関連して上述したように、多重バス・データ処理システムの正常動作の間に、１つ以上のＩＳＡ拡張スロット２２０（図２）を選択的に不能にするために、効率的且つ効果的に使用される。
【００２７】
図６を参照すると、本発明の方法及びシステムを実現するためのプロセスのハイレベル論理フロー図が示される。図示のように、プロセスはブロック７００で開始し、その後ブロック７０２に移行する。ブロック７０２は、パケットが制御論理４００において受信されたか否かの判断を示す。受信されない場合、プロセスはパケットが受信されるまで、単にこの判断を繰り返すだけである。
【００２８】
一旦パケットが受信されると、プロセスはブロック７０４に移行する。ブロック７０４は、ヘッダ・データの除去を示し、その後、プロセスはブロック７０６に移行する。ブロック７０６は、受信パケットがスロット制御パケットであるか否かの判断を示し、スロット制御パケットでない場合、プロセスはブロック７０８に移行し、そこでパケット内のデータが通常に処理される。
【００２９】
ブロック７０６を再度参照し、識別されたパケットがスロット制御パケットの場合、プロセスはブロック７１０に移行する。ブロック７１０は、多重バス・データ処理システム内の各ＩＳＡ拡張スロットの許可／不能ステータスの判断を示す。その後、プロセスはブロック７１２に移行する。ブロック７１２は、各ＩＳＡ拡張スロットへの適切なリセット信号の送信を示す。プロセスは次にブロック７１４に移行し、復帰する。ブロック７０８を再度参照し、非スロット制御パケットの通常処理の後、プロセスはブロック７１４に移行し、復帰する。
【００３０】
以上から、当業者であれば、本発明によれば、多重バス・データ処理システム内の単一バス内の１つ以上の拡張スロットが、データ処理システムの正常動作の間に選択的に不能にされ、それにより周辺装置コンフリクトを阻止し、こうした問題に関連づけられるサービス・コールを最小化する方法及びシステムを提供することが理解できよう。
【００３１】
まとめとして、本発明の構成に関して以下の事項を開示する。
【００３２】
（１）自動的に導出される構成により、周辺装置を相互接続するための複数のスロットを含む第１のバスと、ユーザ選択構成により、周辺装置を相互接続するための複数のスロットを含む第２のバスとを有するデータ処理システムにおいて、周辺装置コンフリクトを除去する方法であって、前記第２のバス内に関連づけられる前記複数のスロットの各々が、前記データ処理システムへの電力の供給に応答して、関連スロットを一時的に不能にするリセット・ラインを含むものにおいて、
前記第２のバスに関連づけられる特定のスロットを識別するステップと、
前記データ処理システムの正常動作の間に、前記特定のスロットに関連づけられる前記リセット・ラインに選択的に制御信号を供給し、前記特定のスロットを選択的に不能にするステップと
を含む、方法。
（２）前記データ処理システムがネットワークに相互接続され、前記制御信号を供給するステップが、前記ネットワークからの遠隔信号に応答して、前記特定のスロットに関連づけられる前記リセット・ラインに選択的に前記制御信号を供給するステップを含む、前記（１）記載の方法。
（３）前記第２のバスに関連づけられるあらゆるスロットに関連づけられる前記リセット・ラインに、同時に制御信号を供給するステップを含み、前記第２のバスに関連づけられるあらゆるスロットが、前記データ処理システムの正常動作の間に、選択的に不能にされる、前記（１）記載の方法。
（４）ユーザ入力に応答して、前記特定のスロットに関連づけられる前記リセット・ラインから、前記制御信号を選択的に除去するステップを含む、前記（１）記載の方法。
（５）中央処理ユニットと、
前記中央処理ユニットに接続されるメモリと、
前記中央処理ユニットに接続され、自動的に導出される構成により、周辺装置を前記中央処理ユニットに相互接続するための複数のスロットを含む、第１のバスと、
前記中央処理ユニットに接続され、ユーザ選択構成により、周辺装置を前記中央処理ユニットに相互接続するための複数のスロットを含む、第２のバスと、
前記第２のバスに関連づけられる各スロットに接続され、前記データ処理システムへの電力の供給に応答して、関連スロットを一時的に不能にする、リセット・ラインと、
前記第２のバスに関連づけられる特定のスロットに接続される前記リセット・ラインに、選択的に制御信号を供給し、前記データ処理システムの正常動作の間に、前記特定のスロットを選択的に不能にする制御論理と
を含む、データ処理システム。
（６）前記データ処理システムをネットワークに接続するネットワーク・インタフェースを含む、前記（５）記載のデータ処理システム。
（７）前記制御論理が前記ネットワーク・インタフェースに接続され、前記制御論理が前記ネットワークからの遠隔信号に応答して、前記リセット・ラインに選択的に前記制御信号を供給する、前記（６）記載のデータ処理システム。
（８）前記制御論理が前記リセット・ラインから前記制御信号を除去する手段を含む、前記（６）記載のデータ処理システム。
（９）前記第１のバスが周辺コンポーネント相互接続（ＰＣＩ）バスを含む、前記（６）記載のデータ処理システム。
（１０）前記第２のバスが業界標準アーキテクチャ（ＩＳＡ）・バスを含む、前記（９）記載のデータ処理システム。
【図面の簡単な説明】
【図１】本発明の方法及びシステムを実現するために使用され得るネットワークのハイレベル・ブロック図である。
【図２】図１のネットワーク内で使用され得る多重バス・クライアント・システムのハイレベル・ブロック図である。
【図３】本発明の方法及びシステムの１実施例を実現するために使用される追加のネットワーク接続回路を有する、図２の多重バス・クライアント・システムのハイレベル・ブロック図である。
【図４】本発明の方法及びシステムを実現するために使用され得る図３のネットワーク接続回路の制御論理回路部分のハイレベル・ブロック図である。
【図５】本発明の方法及びシステムに従い、図２の多重バス・クライアント・システム内のコネクタ・スロットを遠隔的に制御するために使用され得る、データ・パケットの概略図である。
【図６】本発明の方法及びシステムを実現するためのプロセスのハイレベル論理フロー図である。
【符号の説明】
１００  ネットワーク・マスタ・システム
１０２  ハブ
１０４Ａ、１０４Ｂ、１０４Ｃ  クライアント・システム
１０６  ＬＡＮコネクタ・バス
２００  中央処理ユニット（ＣＰＵ）
２０２  データ・バス
２０８  ＰＣＩバス・ブリッジ・チップ
２１２  システム・メモリ
２１４  ＩＤＥ装置制御装置
２１６  ＩＳＡバス・ブリッジ・チップ
２１８  ＰＣＩコネクタ・スロット
２２０  ＩＳＡ拡張スロット
２２２  固定ディスク・ドライブ
２２４  フロッピー・ディスク・ドライブ
２２６  リセット論理
２３２  フラッシュ・メモリ
２３４  入出力制御装置
２３６  バッテリ
２４０  周辺コンポーネント相互接続（ＰＣＩ）拡張バス
２４２  ＩＳＡバス
３００  ネットワーク・アダプタ
３０４  物理層
３０６  コネクタ
３０８  媒体アクセス制御装置（ＭＡＣ）
４００  制御論理
５０２  マイクロコントローラ
５０６  システム管理（ＳＭ）バス・インタフェース
５０８  受信用先入れ先出し（ＦＩＦＯ）
５１０  レジスタ
５１４  インタフェース・ユニット
５２０  リセット・ドライブ
６００  データ・パケット
【図１】
0003719636.tif 000002
【図２】
0003719636.tif 000003
【図３】
0003719636.tif 000004
【図４】
0003719636.tif 000005
【図５】
0003719636.tif 000006
【図６】
0003719636.tif 000007